(57)【要約】【課題】給湯と給水を混合させて湯水混合水栓の吐水部に供給する湯水について、その流量を著しく減少させることなく整流化させると共に通水音を抑制することができる湯水混合バルブ装置を提供する。【解決手段】本発明の湯水混合バルブ装置１は、ハウジング２に固定され、給水流入孔１４，２０と給湯流入孔１６，２２と、混合された湯水が流出する湯水流出孔１８，２４を備えた固定弁体部４と、この固定弁体部の上面に配置され、開放位置から閉鎖位置まで摺動可能な可動弁体部６と、を有し、この可動弁体部の内部流路２８は、ほぼ円環状に形成され開放位置において固定弁体の給湯給水流入部と連通する円環部３８と中間部４０を含み、円環部の上流端側内周部には中間部側に向かって突出する複数のフィン形状の突出部４６，４８，５０，５２が配列され、これらの隣り合う突出部同士は、その間隔が突出部の基端部から先端部にかけて狭まるように配置されている。【選択図】図１
2007147004.tif 000002
【特許請求の範囲】
【請求項１】
湯水混合水栓に組み込まれ、給湯源から供給される給湯と給水源から供給される給水を混合した湯水を吐止水する湯水混合バルブ装置であって、
ハウジングと、
このハウジングに固定され、上記給湯と上記給水の各々が流入する給湯給水流入部と、混合された湯水が流出する湯水流出部とを備えた固定弁体と、
この固定弁体の一端面に配置され、上記給湯給水流入部を開放する開放位置から上記給湯給水流入部を閉鎖する閉鎖位置まで摺動可能な可動弁体であって、上記固定弁体の一端面と対向する面の一部からその外周部まで延びる内部流路が形成された上記可動弁体と、
を有し、
上記可動弁体の内部流路は、ほぼ円環状に形成され上記開放位置において上記固定弁体の給湯給水流入部と連通する円環部と、この円環部の一部と上記外周部との間に形成され且つ上記湯水流出部と連通する中間部と、を含み、上記円環部の上流端側内周部には上記中間部側に向かって突出して所定長さを有する複数のフィン形状の突出部が配列され、これらの隣り合う突出部同士は、その間隔が上記突出部の基端部から先端部にかけて狭まるように配置されていることを特徴とする湯水混合バルブ装置。
【請求項２】
上記複数のフィン形状の突出部の各々は、上記円環部の中心よりも上記中間部側にある所定位置に向けて指向するように配置されている請求項１記載の湯水混合バルブ装置。
【請求項３】
上記複数のフィン形状の突出部は、その配列のほぼ中央部に配置されて対をなす中央突出部と、この中央突出部に対し上記円環部の上流端側内周部に沿って外側に配置された外側突出部によって構成され、上記中央突出部同士の基端部の間隔ａに対する先端部同士の間隔ｂの比ｂ／ａは、上記外側突出部の基端部とその隣りの突出部の基端部との間隔ａ’に対するこれらの両先端部の間隔ｂ’の比ｂ’／ａ’よりも小さくなるように構成されている請求項１記載の湯水混合バルブ装置。
【請求項４】
上記中央突出部の基端部から先端部までの長さは、上記外側突出部の基端部から先端部までの長さよりも長くなるように構成されている請求項３記載の湯水混合バルブ装置。
【発明の詳細な説明】
【技術分野】
【０００１】
本発明は、湯水混合バルブ装置に係り、特に、給湯源から供給される給湯と給水源から供給される給水を混合した湯水を吐止水する湯水混合水栓に組み込まれた湯水混合バルブ装置に関する。
【背景技術】
【０００２】
従来から、給湯源から供給される給湯と給水源から供給される給水を混合した湯水を吐止水する湯水混合水栓に組み込まれた湯水混合バルブ装置は、湯水混合水栓の吐水口を開閉することにより吐水状態又は止水状態に切り替える開閉弁として機能している。このような従来の湯水混合バルブ装置は、ハウジングに固定され給湯と給水の各流入孔とこれらの混合された湯水が流出される流出孔が形成されている固定弁体と、この固定弁体に摺動可能に取り付けられ固定弁体の流入孔と流出孔を連通させる流路が形成された可動弁体とを備え、この可動弁体が固定弁体の各流入孔を開閉することにより、流出孔から湯水が吐水又は止水されるようになっている。また、従来の湯水混合バルブ装置では、固定弁体の流入孔から流入した給湯及び／又は給水が可動弁体の流路を経て湯水として固定弁体の流出孔へ流出する際に発生する乱流やキャビテーション、さらに、これらに伴う騒音を抑制するための工夫がなされている。
例えば、特許文献１に記載されている従来の湯水混合バルブ装置においては、固定弁体の流入孔又はこれと連通する可動弁体の流路の口縁部を鋸歯状に形成することにより、可動弁体の可動によって固定弁体の流入孔が連続的に開閉されるようになっている。
また、特許文献２に記載されている従来の湯水混合バルブ装置においては、可動弁体の流路に沿って固定弁体の流入孔から流出孔に向かって延びる複数の整流板を設けることにより、固定弁体の流入孔から可動弁体の流路に流入した湯水が複数の整流板同士の間を通過して整流されるようになっている。
【０００３】
【特許文献１】特開昭５５−５１１８０号公報
【特許文献２】特開平６−１２９５５３号公報
【発明の開示】
【発明が解決しようとする課題】
【０００４】
しかしながら、上述した特許文献１に記載されている従来の湯水混合バルブ装置においては、固定弁体の流入孔又はこれと連通する可動弁体の流路の口縁部が鋸歯形状に形成されているため、湯水がこの鋸歯形状の部分を通過した際に水流に乱れが生じやすく、キャビテーションの発生を抑制できず、これに伴う騒音（通水音）も十分に抑制することができないという問題がある。
また、上述した特許文献２に記載されている従来の湯水混合バルブ装置においては、固定弁体の流入孔から可動弁体の流路に流入した湯水は、整流板同士の間を通過することによる圧力損失によって流速が低下し、流量も減少してしまうという問題がある。
【０００５】
そこで、本発明は、上述した従来技術の問題を解決するためになされたものであり、給湯と給水を混合させて湯水混合水栓の吐水部に供給する湯水について、その流量を著しく減少させることなく整流化させると共に通水音を抑制することができる湯水混合バルブ装置を提供することを目的としている。
【課題を解決するための手段】
【０００６】
上記の目的を達成するために、本発明は、湯水混合水栓に組み込まれ、給湯源から供給される給湯と給水源から供給される給水を混合した湯水を吐止水する湯水混合バルブ装置であって、ハウジングと、このハウジングに固定され、上記給湯と上記給水の各々が流入する給湯給水流入部と、混合された湯水が流出する湯水流出部とを備えた固定弁体と、この固定弁体の一端面に配置され、上記給湯給水流入部を開放する開放位置から上記給湯給水流入部を閉鎖する閉鎖位置まで摺動可能な可動弁体であって、上記固定弁体の一端面と対向する面の一部からその外周部まで延びる内部流路が形成された上記可動弁体と、を有し、上記可動弁体の内部流路は、ほぼ円環状に形成され上記開放位置において上記固定弁体の給湯給水流入部と連通する円環部と、この円環部の一部と上記外周部との間に形成され且つ上記湯水流出部と連通する中間部と、を含み、上記円環部の上流端側内周部には上記中間部側に向かって突出して所定長さを有する複数のフィン形状の突出部が配列され、これらの隣り合う突出部同士は、その間隔が上記突出部の基端部から先端部にかけて狭まるように配置されていることを特徴としている。
このように構成された本発明の湯水混合バルブ装置においては、可動弁体が開放位置にある状態では、固定弁体の給湯給水流入部から流入した給湯及び／又は給水は、可動弁体の内部流路における円環部の上流端側内周部に流入する。内部流路の円環部の上流端側内周部に流入した給湯及び／又は給水は、複数のフィン形状の突出部の隣り合う突出部同士の間隔に流入し、隣り合う突出部の先端部同士の間隔から中間部へ流れ、この中間部と連通する固定弁体の湯水流出部から湯水混合バルブ装置の外部へ流出する。また、可動弁体の内部流路の円環部における複数の突出部の隣り合う突出部同士の間隔が突出部の基端部から先端部にかけて狭まるように配置されているため、内部流路において円環部から中間部へ流れる湯水の流速を上昇させると共に圧力の低減を抑制することができ、流量を維持することができる。さらに、内部流路内の圧力変化によるキャビテーションの発生を抑制し、このキャビテーションによって生ずる騒音（通水音）を抑制することができる。
【０００７】
本発明において、複数のフィン形状の突出部の各々は、円環部の中心よりも中間部側にある所定位置に向けて指向するように配置されていることが好ましい。
このように構成された本発明の湯水混合バルブ装置においては、複数のフィン形状の突出部の各々が、円環部の中心よりも中間部側にある所定箇所に向けて指向するように配置されているため、内部流路において円環部から中間部へ流れる湯水の流速を上昇させると共に圧力の低減を抑制することができ、流量を維持することができる。さらに、内部流路内の圧力変化によるキャビテーションの発生を抑制し、このキャビテーションによって生ずる騒音（通水音）を抑制することができる。
【０００８】
本発明において、複数のフィン形状の突出部は、その配列のほぼ中央部に配置されて対をなす中央突出部と、この中央突出部に対し円環部の上流端側内周部に沿って外側に配置された外側突出部によって構成され、中央突出部同士の基端部の間隔ａに対する先端部同士の間隔ｂの比ｂ／ａは、外側突出部の基端部とその隣りの突出部の基端部との間隔ａ’に対するこれらの両先端部の間隔ｂ’の比ｂ’／ａ’よりも小さくなるように構成されていることが好ましい。
このように構成された本発明の湯水混合バルブ装置においては、可動弁体の内部流路における円環部の中央突出部同士の間から中間部へ流出する湯水の流速が、中央突出部と外側突出部との間から中間部へ流出する湯水の流速を上回るため、外側突出部から流出する水流が中央突出部から流出する水流に引き込まれて整流化される。この結果、内部流路内のキャビテーションの発生を抑制し、騒音（通水音）を抑制することができる。
【０００９】
本発明において、中央突出部の基端部から先端部までの長さは、外側突出部の基端部から先端部までの長さよりも長くなるように構成されていることが好ましい。
このように構成された本発明の湯水混合バルブ装置においては、可動弁体の内部流路における円環部の中央突出部同士の間から中間部へ流出する湯水の流速が、中央突出部と外側突出部との間から中間部へ流出する湯水の流速を上回るため、外側突出部から流出する水流が中央突出部から流出する水流に引き込まれて整流化される。この結果、内部流路内のキャビテーションの発生を抑制し、騒音（通水音）を抑制することができる。
【発明の効果】
【００１０】
本発明の湯水混合バルブ装置によれば、給湯と給水を混合させて湯水混合水栓の吐水部に供給する湯水について、その流量を著しく減少させることなく整流化させると共に通水音を抑制することができる。
【発明を実施するための最良の形態】
【００１１】
以下、添付図面を参照して本発明の湯水混合バルブ装置の実施形態について説明する。
図１は、本発明の一実施形態による湯水混合バルブ装置を示す概略斜視図である。また、図２は、本実施形態の湯水混合バルブ装置を示す分解斜視図である。さらに、図３は、本実施形態の湯水混合バルブ装置を示す縦断面図である。なお、図３では、流路内の水の流れを実線矢印で示している。
図１〜図３に示すように、本実施形態の湯水混合バルブ装置１は、給湯源（図示せず）から供給される給湯と給水源（図示せず）から供給される給水を混合した湯水を吐止水する湯水混合水栓（図示せず）の一部に組み込まれたものであり、ハウジング２、このハウジング２の下端に固定された固定弁体部４、この固定弁体部４の上部に摺動及び／又は回転可能に配置された可動弁体部６、この可動弁体６の可動を操作する操作軸部８によって構成されている。
【００１２】
固定弁体部４は、固定弁体本体１０と、この固定弁体本体１０を保持してハウジング２内に固定する固定弁体保持部材１２を備えている。固定弁体保持部材１２においては、給水源（図示せず）から供給される給水と給湯源（図示せず）から供給される給湯の各々が流入する給湯給水流入部であり且つ縦方向に貫く給水流入孔１４と給湯流入孔１６がそれぞれ形成されている。
また、固定弁体保持部材１２において、給水流入孔１４と給湯流入孔１６に隣接した箇所には、縦方向に貫く湯水流出孔１８が形成されている。この湯水流出孔１８は、給水流入孔１４と給湯流入孔１６の各々からハウジング２の内部に流入して混合された湯水が流出する湯水流出部である。
さらに、固定弁体本体１０は、固定弁体保持部材１２に保持された状態で固定弁体保持部材１２の給水流入孔１４と給湯流入孔１６の各々と対応して連通する給水流入孔２０と給湯流入孔２２が形成されている。また、固定弁体本体１０において、給水流入孔２０と給湯流入孔２２に隣接した箇所には、縦方向に貫き且つ固定弁体保持部材１２の湯水流出孔１８と対応して連通する湯水流出孔２４が形成されている。
【００１３】
つぎに、可動弁体部６は、固定弁体本体１０の上面に摺動及び／又は回転可能に配置された可動弁体本体２６によって構成され、この可動弁体本体２６の下面には、可動弁体本体２６が可動された位置によって固定弁体本体１０の給水流入孔２０及び／又は給湯流入孔２２と湯水流出孔２４とを連通可能にする内部流路２８（詳細は後述する）が形成されている。
また、図３は、給湯流入孔２２の流路断面を含む縦断面から見た湯水混合バルブ装置１の縦断面図であり、可動弁体本体２６については、固定弁体本体１０の給湯流入孔２２の上面を開放した位置（以下「開放位置」と呼ぶ）にあり、内部流路２８によって固定弁体本体１０の給湯流入孔２２と湯水流出孔２４とを連通させた状態を示している。
さらに、可動弁体本体２６の上面には、その上下方向の位置を固定する保持部材３０によって保持されている。また、可動弁体本体２６の上面のほぼ中央部には凹部３２が形成され、保持部材３０のほぼ中央部には、操作軸部８の下端部８ａが保持部材３０を貫いて可動弁体本体２６の凹部３２に連結可能となるように円孔３４が形成されている。操作軸部８を回動軸８ｂを中心に回動させることにより、可動弁体本体２６が前後方向（図３の左右方向）に摺動可能となっている。
なお、図３においては、可動弁体本体２６が実線矢印Ａの方向に摺動して固定弁体本体１０の給湯流入孔２２の上面を閉鎖した位置（以下「閉鎖位置」と呼ぶ）にあり、固定弁体本体１０の給湯流入孔２２と湯水流出孔２４は連通していない状態を示している。図３では、この閉鎖位置の可動弁体本体を２６’として破線で示され、その内部流路２８’、凹部３２’、及び操作軸部８’の下端部８ａ’についても破線で示されている。
【００１４】
つぎに、図４及び図５を参照して、上述した可動弁体本体２６の内部流路２８の詳細について説明する。
図４は本実施形態の湯水混合バルブ装置の固定弁体本体と可動弁体本体の部分を示す下面図であり、図５は本実施形態の湯水混合バルブ装置の可動弁体本体を示す下面図である。なお、図４に示す、可動弁体本体２６は、一例として、内部流路２８によって固定弁体本体１０の給湯流入孔２２と湯水流出孔２４とを連通させた状態を示している。
図４及び図５に示すように、可動弁体本体２６の内部流路２８は、可動弁体本体２６の下面のほぼ中央部から可動弁体本体２６の長手方向に位置する外周部３６まで延びて所定の流路幅をもって形成されている。
また、可動弁体本体２６の下面のほぼ中央部に位置する内部流路２８は、可動弁体本体２６が開放位置にあるとき、固定弁体本体１０の給水流入孔２０及び／又は給湯流入孔２２と対向するようにほぼ円環状に形成された円環部３８となっている。
さらに、内部流路２８の円環部３８の一部と外周部３６との間の流路は、円環部３８の幅よりもわずかに流路幅が狭く形成された中間部４０となっており、この中間部４０は、可動弁体本体２６が開放位置又は開閉位置にある状態にかかわらず、湯水流出孔２４と連通している。
【００１５】
また、図４では固定弁体本体１０の中心をＯで示しており、この中心Ｏは、給水流入孔２０の内周円弧４２又は給湯流入孔２２の内周円弧４４の中心となっている。
さらに、図５についても、可動弁体本体２６が固定弁体本体１０に対して図４と同じ位置（開放位置）の状態にあるものとして、対応する固定弁体本体１０の中心Ｏを示し、内部流路２８の円環部３８の中心をＰで示す。
また、可動弁体本体２６が開放位置にあり、内部流路２８の円環部３８が固定弁体本体１０の給水流入孔２０及び／又は給湯流入孔２２と連通している状態では、円環部３８の内周部は給水流入孔２０の内周円弧４２又は給湯流入孔２２の内周円弧４４と接点Ｑで内接している。本実施形態の湯水混合バルブ装置１では、可動弁体本体２６が開放位置にある状態で操作軸部８を軸回り回転させることにより、円環部３８の内周部の接点Ｑが内周円弧４２又は給湯流入孔２２の内周円弧４４と接点Ｑで内接した状態のまま、可動弁体本体２６が中心Ｏを中心に実線矢印Ｂの方向に回転可能となっている。
さらに、図４に示す実線矢印Ａは、図３に示す実線矢印Ａと一致している。開放位置にある可動弁体本体２６を閉鎖位置に摺動させる場合には、操作軸部８について回動軸８ｂを中心に回動させることにより、可動弁体本体２６を実線矢印Ａ方向に摺動可能となっている。
【００１６】
また、図４及び図５に示すように、内部流路２８の円環部３８の上流端側内周部には、中間部４０に向かって突出する複数のフィン形状の突出部４６，４８，５０，５２が配列されている。これら複数のフィン形状の突出部４６，４８，５０，５２の配列のうちの一対の突出部４８，５０については、各々の基端部４８ａ，５０ａ同士の中間に上述した接点Ｑが位置するように形成され、配列の中央部に位置する中央突出部（以下「中央突出部４８，５０」と呼ぶ）を構成している。
さらに、中央突出部４８，５０は、その先端部４８ｂ，５０ｂが円環部３８の中心Ｐよりも中間部４０側に位置する固定弁体本体１０の中心Ｏ又はその近傍の位置に向けて指向するように配置されており、基端部４８ａ，５０ａ同士の間隔ａは、先端部４８ｂ，５０ｂ同士の間隔ｂよりも大きく設定されている。すなわち、中央突出部４８，５０同士の間隔は、基端部４８ａ，５０ａから先端部４８ｂ，５０ｂにかけて狭まっている。
また、中央突出部４８，５０において、基端部４８ａ，５０ａから先端部４８ｂ，５０ｂまでの長手方向の長さは共に等しく設定されている。
【００１７】
一方、突出部４６，５２は、中央突出部４８，５０に対して円環部３８の上流端側内周部に沿って外側に配置された外側突出部（以下「外側突出部４６，５２」と呼ぶ）を構成している。
さらに、外側突出部４６，５２は、中央突出部４８，５０と同様に、その先端部４６ｂ，５２ｂが円環部３８の中心Ｐよりも中間部４０側に位置する固定弁体本体１０の中心Ｏよりもやや中間部４０側（下流側）に差し向けられている。したがって、外側突出部４６の基端部４６ａと中央突出部４８の基端部４８ａ同士の間隔ａ’は、外側突出部４６の先端部４６ｂと中央突出部４８の先端部４８ｂ同士の間隔ｂ’よりも大きく設定されており、中央突出部５０の基端部５０ａと外側突出部５２の基端部５２ａ同士の間隔ａ’についても、中央突出部５０の先端部５０ｂと外側突出部５２の先端部５２ｂ同士の間隔ｂ’よりも大きく設定されている。すなわち、外側突出部４６と中央突出部４８との間隔、及び中央突出部５０と外側突出部５２の間隔は、各々の基端部４６ａ，４８ａ，５０ａ，５２ａから先端部４６ｂ，４８ｂ，５０ｂ，５２ｂにかけて狭まっている。
また、中央突出部４８，５０同士の基端部４８ａ，５０ａの間隔ａに対する先端部４８ｂ，５０ｂ同士の間隔ｂの比ｂ／ａは、外側突出部４６の基端部４６ａと中央突出部４８の基端部４８ａとの間隔ａ’に対する外側突出部４６の先端部４６ｂと中央突出部４８の先端部４８ｂとの間隔ｂ’の比ｂ’／ａ’（又は外側突出部５２の基端部５２ａと中央突出部５０の基端部５０ａとの間隔ａ’に対する外側突出部５２の先端部５２ｂと中央突出部５０の先端部５０ｂとの間隔ｂ’の比ｂ’／ａ’）よりも小さくなるように設定されている。
さらに、中央突出部４８，５０の基端部４８ａ，５０ａから先端部４８ｂ，５０ｂまでの長手方向の各長さは、外側突出部４６，５２の基端部４６ａ，５２ａから先端部４６ｂ，５２ｂの長手方向の各長さよりも長くなるように構成されている。
なお、上述した本実施形態の湯水混合バルブ装置１では、中央突出部４８，５０と外側突出部４６，５２を備えた形態について説明しているが、このような形態に限定されず、中央突出部４８，５０のみを配置し、外側突出部４６，５２を省略してもよい。
【００１８】
つぎに、上述した本発明の一実施形態による湯水混合バルブ装置１の作用について説明する。
可動弁体本体２６が開放位置にある状態（図３及び図４参照）では、給湯源（図示せず）から供給される給湯と給水源（図示せず）から供給される給水の各々は、固定弁体保持部材１２の給水流入孔１４と給湯流入孔１６の各々に流入し、固定弁体本体１０の給水流入孔２０と給湯流入孔２２をそれぞれ通過して、可動弁体本体２６の内部流路２８の円環部３８に流入する。円環部３８に流入した給水及び／又は給湯は、特に、円環部３８の複数の突出部４６，４８，５０，５２の隣り合う突出部の間、及び外側突出部４６，５２の外側を各基端部４６ａ，４８ａ，５０ａ，５２ａから各先端部４６ｂ，４８ｂ，５０ｂ，５２ｂに沿って中間部４０へ向かって流れる。このとき、中央突出部４８，５０の間から中間部４０に向かって流出してほぼ中心Ｏ付近をまっすぐ通過する湯水の流速Ｖａ（図５参照）は、外側突出部４６，５２に面した流路を通過した湯水の流速Ｖｂ（図５参照）に比べて大きくなる。このため、内部流路２８内の円環部３８から中間部４０への湯水の流れは、中心Ｏ付近を通過する流速Ｖａの湯水に引きずられるようにその周囲の流速Ｖｂの湯水が合流するような流れとなる。
さらに、湯水は、固定弁体本体１０の湯水流出孔２４からハウジング２の外部へ流出し、湯水混合水栓（図示せず）の吐水部へと流れる。
【００１９】
上述した本実施形態による湯水混合バルブ装置１によれば、可動弁体本体２６の内部流路２８の円環部３８における複数の突出部４６，４８，５０，５２の隣り合う突出部同士の間隔が突出部４６，４８，５０，５２の基端部４６ａ，４８ａ，５０ａ，５２ａから先端部４６ｂ，４８ｂ，５０ｂ，５２ｂにかけて狭まるように配置されているため、内部流路２８において円環部３８から中間部４０へ流れる湯水の流速を上昇させると共に圧力の低減を抑制することができ、流量を維持することができる。さらに、内部流路２８内の圧力変化によるキャビテーションの発生を抑制し、このキャビテーションによって生ずる騒音（通水音）を抑制することができる。
また、本実施形態による湯水混合バルブ装置１によれば、可動弁体本体２６の内部流路２８の円環部３８における複数の突出部４６，４８，５０，５２の各々は、円環部３８の中心Ｐ（図４及び図５参照）よりも中間部４０側にある所定箇所（中心Ｏ付近）に向けて配置されているため、内部流路２８において円環部３８から中間部４０へ流れる湯水の流速を上昇させると共に圧力の低減を抑制することができ、流量を維持することができる。さらに、内部流路２８内の圧力変化によるキャビテーションの発生を抑制し、このキャビテーションによって生ずる騒音（通水音）を抑制することができる。
さらに、本実施形態による湯水混合バルブ装置１によれば、中央突出部４８，５０同士の基端部４８ａ，５０ａの間隔ａに対する先端部４８ｂ，５０ｂ同士の間隔ｂの比ｂ／ａは、外側突出部４６，５２の基端部４６ａ，５２ａとその隣りの中央突出部４８，５０の基端部４８ａ，５０ａとの間隔ａ’に対するこれらの両先端部４８ｂ，５０ｂの間隔ｂ’の比ｂ’／ａ’よりも小さくなるように設定されている。また、中央突出部４８，５０の基端部４８ａ，５０ａから先端部４８ｂ，５０ｂまでの長さは、外側突出部４６，５２の基端部４６ａ，５２ａから先端部４６ｂ，５２ｂまでの長さよりも長くなるように構成されている。したがって、可動弁体本体２６の内部流路２８における円環部３８の中央突出部４８，５０同士の間から中間部４０へ流出する湯水の流速Ｖａが、外側突出部４６と中央突出部４８との間及び外側突出部５２と中央突出部５０との間、或いは外側突出部４６，４８の外側の流路から中間部４０へ流出する湯水の流速Ｖｂを上回るため、外側突出部４６，５２に沿って流出する水流が中央突出部４８，５０から流出する水流に引きずられて整流化される。この結果、内部流路２８内のキャビテーションの発生を抑制し、騒音（通水音）を抑制することができる。
【００２０】
参考として、図６は、上述した本実施形態の湯水混合バルブ装置を用いて湯水を所定の水圧で通水させたときに発生する騒音レベルを調べた実験結果を示すグラフである。ここで、図６において、横軸は可動弁体本体の内部流路に流入する流量［Ｌ／ｍｉｎ］を示し、縦軸は通水時の騒音レベル［ｄＢ（Ａ）］を示している。また、本実験では、可動弁体本体２６の内部流路２８の突出部４６，４８，５０，５２がある場合とない場合について、給水流入孔１４、給湯流入孔１６より上流側の水圧を０．２ＭＰａ〜０．５ＭＰａまで０．１ＭＰａ毎に設定し、可動弁体本体２６を開放位置に設定して固定弁体本体１０の給水流入孔２０を全開にした状態の最大流量とその騒音レベルを調べた。
図６に示すように、可動弁体本体２６の内部流路２８の突出部４６，４８，５０，５２がある場合とない場合において各水圧における流量を比較すると、突出部４６，４８，５０，５２がある場合の方がない場合に比べわずかに減少しているもののほとんど差は見られない。このことから突出部４６，４８，５０，５２の有無については流量にほとんど影響していないことが明らかとなった。
また、各水圧における騒音を比較すると、突出部４６，４８，５０，５２がある場合の方がない場合に比べ、３ｄＢ（Ａ）〜６ｄＢ（Ａ）大幅に減少しており、内部流路２８の円環部２８に配置された突出部４６，４８，５０，５２が、騒音（通水音）の抑制に大きく寄与していることが明らかとなった。
【図面の簡単な説明】
【００２１】
【図１】本発明の一実施形態による湯水混合バルブ装置を示す概略斜視図である。
【図２】本発明の一実施形態による湯水混合バルブ装置を示す分解斜視図である。
【図３】本発明の一実施形態による湯水混合バルブ装置を示す縦断面図である。
【図４】本発明の一実施形態による湯水混合バルブ装置の固定弁体本体と可動弁体本体の部分を示す下面図である。
【図５】本発明の一実施形態による湯水混合バルブ装置の可動弁体本体を示す下面図である。
【図６】本発明の一実施形態による湯水混合バルブ装置を用いて湯水を所定の水圧で通水させたときに発生する騒音を調べた実験結果を示すグラフである。
【符号の説明】
【００２２】
１  湯水混合バルブ装置
２  ハウジング
４  固定弁体部
６  可動弁体部
８  操作軸部
１０  固定弁体本体
１２  固定弁体保持部材
１４，２０  給水流入孔
１６，２２  給湯流入孔
１８，２４  湯水流出孔
２６  可動弁体本体
２８  内部流路
３０  保持部材
３２  凹部
３４  円孔
３６  可動弁体本体の外周部
３８  円環部
４０  中間部
４２  給水流入孔の内周円弧
４４  給湯流入孔の内周円弧
４６，５２  外側突出部
４６ａ，５２ａ  外側突出部の基端部
４６ｂ，５２ｂ  外側突出部の先端部
４８，５０  中央突出部
４８ａ，５０ａ  中央突出部の基端部
４８ｂ，５０ｂ  中央突出部の先端部
【図１】
2007147004.tif 000003
【図２】
2007147004.tif 000004
【図３】
2007147004.tif 000005
【図４】
2007147004.tif 000006
【図５】
2007147004.tif 000007
【図６】
2007147004.tif 000008